(57)【要約】      （修正有）【課題】交換部品のコストの上昇を抑えながら、断熱性にすぐれた冷蔵庫を提供する。【解決手段】貯蔵室を備え、開口を有する、冷蔵庫本体と、貯蔵室の内壁の少なくとも一部に対向する凸内壁１７を備え、開口を開閉する、断熱扉５ｃと、断熱扉５ｃの４辺を含む全周囲で取り付けられ、断熱扉５ｃが閉じられた状態で、断熱扉５ｃと開口を密閉する扉パッキング１５と、断熱扉５ｃの凸内壁１７を有する少なくとも１辺に取り付けられ、断熱扉５ｃが閉じられた状態で、１辺に対応する貯蔵室の内壁に接する、シール部材１３と、を備え、扉パッキング１５は、断熱扉５ｃに凹設された溝２３に嵌合されて、保持され、シール部材１３は、断熱扉５ｃに凹設された溝２３に、扉パッキング１５とともに保持される、冷蔵庫を提供する。【選択図】図５
2019120438.tif 000002
【特許請求の範囲】
【請求項１】
貯蔵室を備え、開口を有する、冷蔵庫本体と、
前記貯蔵室の内壁の少なくとも一部に対向する凸内壁を備え、前記開口を開閉する、断熱扉と、
前記断熱扉の４辺を含む全周囲で取り付けられ、前記断熱扉が閉じられた状態で、前記断熱扉と前記開口を密閉する扉パッキングと、
前記断熱扉の凸内壁を有する少なくとも１辺に取り付けられ、前記断熱扉が閉じられた状態で、前記１辺に対応する前記貯蔵室の内壁に接する、シール部材と、
を備え、
前記扉パッキングは、前記断熱扉に凹設された溝に嵌合されて、保持され、
前記シール部材は、前記断熱扉に凹設された溝に、前記扉パッキングとともに保持される、冷蔵庫。
【請求項２】
前記断熱扉に凹設された溝に、前記シール部材の上から、前記扉パッキングが嵌合されて保持される、請求項１に記載の冷蔵庫。
【請求項３】
前記シール部材の先端が、ひげ構造、袋構造で、前記貯蔵室の内壁と接している、請求項１または２に記載の冷蔵庫。
【請求項４】
前記シール部材は、前記断熱扉の凸内壁に接着されている、請求項１乃至３のいずれか１項に記載の冷蔵庫。
【発明の詳細な説明】
【技術分野】
【０００１】
本発明は、冷蔵庫の断熱扉に取り付けられたシール部材に関する。
【背景技術】
【０００２】
冷蔵庫のような断熱を要する装置は、断熱扉と冷蔵庫本体の間を密閉することによって、断熱する。密閉方法は、扉パッキングによるものに加えて、扉パッキングとは別部材のシール部材により空気を遮断している。シール部材は、断熱扉の凸内壁に取り付けられ、対向する貯蔵室の内壁と接するようになっている。これにより、断熱扉の凸内壁及び貯蔵室の内壁の間の間隙を埋め、空気を遮断することができる。このシール部材は、貯蔵室の空気と外気の間に、緩衝する空気の層を作り出す。
【０００３】
しかしながら、シール部材は、接着剤のみで断熱扉の凸内壁に取り付けられているため、掃除の時や引き出しの動作で内容物が引っかかった時に外れるという問題があった。また、扉パッキングとシール部材が接触することなく分離しているため、シール部材が、貯蔵室の内壁と接しない虞があった。
【０００４】
そこで、シール部材が、貯蔵室の内壁と、断熱扉の内壁の両方に接することを確実にするため、特許文献１では、扉パッキングと軟質シール部材を一体に形成することが開示されている。
【先行技術文献】
【特許文献】
【０００５】
【特許文献１】特開平１１−１５９９４６号公報
【発明の概要】
【発明が解決しようとする課題】
【０００６】
しかしながら、特許文献１では、扉パッキングと軟質シール部材を一体に成形するため、成形体が複雑になるという問題があった。また、そのいずれかが経年劣化等により破断され、気密が十分に保てなくなると、両方を同時に交換しなければならなかった。そのため、このような冷蔵庫は、複雑でコストの高い成形体を、一度に交換する必要があり、交換寿命が短く、交換部品のコストが高いこと問題があった。
【０００７】
そこで、本発明の目的は、上記の課題を解決し、シール部材の接着性を強化し、気密性に優れつつ、複雑でない部品から構成された冷蔵庫、すなわち、シール部材が掃除や引き出し動作で外れることがなく、断熱性にすぐれ、交換部品のコストの上昇を抑えた冷蔵庫を提供することにある。
【課題を解決するための手段】
【０００８】
上記課題を解決するため、本発明に係る冷蔵庫は、次のように構成したことを特徴とする。
【０００９】
まず、本発明の冷蔵庫は、貯蔵室を備え、開口を有する、冷蔵庫本体と、前記貯蔵室の内壁の少なくとも一部に対向する凸内壁を備え、前記開口を開閉する、断熱扉と、前記断熱扉の４辺を含む全周囲で取り付けられ、前記断熱扉が閉じられた状態で、前記断熱扉と前記開口を密閉する扉パッキングと、前記断熱扉の凸内壁を有する少なくとも１辺に取り付けられ、前記断熱扉が閉じられた状態で、前記１辺に対応する前記貯蔵室の内壁に接する、シール部材と、を備え、前記扉パッキングは、前記断熱扉に凹設された溝に嵌合されて、保持され、前記シール部材は、前記断熱扉に凹設された溝に、前記扉パッキングとともに保持される、ことを特徴としている。
【００１０】
本発明の冷蔵庫は、扉パッキングとシール部材が、断熱扉に凹設された溝にともに保持されることによりシール部材の接着性を強化しつつ、気密性を上げ、断熱性に優れる。また、扉パッキングと、シール部材が分離していることにより、それぞれの交換部品を用意することができ、交換部品のコストを下げることができる。
【００１１】
また、本発明は、前記断熱扉に凹設された溝に、前記シール部材の上から、前記扉パッキングが嵌合されて保持される、ことを特徴としている。
【００１２】
本発明の冷蔵庫は、シール部材の上から扉パッキングが、保持されることにより、シール部材をより強固に固着し、気密性を上げ、断熱性を上げる。
【００１３】
また、本発明は、前記シール部材の先端が、ひげ構造、袋構造で、前記貯蔵室の内壁と接している、ことを特徴としている。
【００１４】
シール部材の先端が、ひげ構造、袋構造などの構造をとることにより、シール部材の先端が貯蔵室の内壁に確実に接触することができる。
【００１５】
また、本発明は、前記シール部材は、前記断熱扉の凸内壁に接着されている、ことを特徴としている。
【００１６】
本発明の冷蔵庫は、シール部材が、断熱扉の凸内壁に接着されていることにより、シール部材を、断熱扉の凸内壁に固着することができる。そのため、シール部材の先端の方向を貯蔵室の内壁に向けることができる。
【図面の簡単な説明】
【００１７】
【図１】本発明の１つの実施形態に係る冷蔵庫の（ａ）概略斜視図と（ｂ）概略側面図である。
【図２】本発明の１つの実施形態に係る冷蔵庫の（ａ）概略断面斜視図と（ｂ）概略断面側面図である。
【図３】本発明の１つの実施形態に係る断熱扉の扉パッキングとシール部材を分離した、（ａ）裏面の概略斜視図と、（ｂ）正面図と、（ｃ）側面図である。
【図４】本発明の１つの実施形態に係る断熱扉の扉パッキングとシール部材を接合した、（ａ）裏面の概略斜視図と、（ｂ）正面図と、（ｃ）側面図と（ｄ）図４（ｂ）のＡ−Ａ断面図である。
【図５】本発明の１つの実施形態に係る断熱扉の扉パッキングとシール部材を接合した、（ａ）正面図と、（ｂ）図５（ａ）のＢ−Ｂ断面図と、（ｃ）図５（ｂ）のＣ部拡大図と、（ｄ）断熱扉を閉じた状態の図５（ｂ）のＣ部拡大図である。
【発明を実施するための形態】
【００１８】
以下、図面を参照しながら、本発明を実施するための実施形態を説明する。各図面中、同一の機能を有する対応する部材には、同一符号を付している。各図面中、同一の機能を有する対応する部材については、説明を省略することがある。
【００１９】
（冷蔵庫の全体構成について）
図１（ａ）は、本発明の１つの実施形態に係る冷蔵庫１の概略斜視図であり、図１（ｂ）は、本発明の１つの実施形態に係る冷蔵庫１の概略側面図である。図１（ａ）、（ｂ）に示されるように、本発明の１つの実施形態に係る冷蔵庫１は、その内部に食品等の貯蔵ができる冷蔵庫本体３を備える。冷蔵庫本体３は、その前方の開口を開閉する回転式の断熱扉５ａと、引き出し式の断熱扉５ｂ、５ｃを備える。
【００２０】
図２（ａ）は、本発明の１つの実施形態に係る冷蔵庫１の概略断面斜視図であり、図２（ｂ）は、本発明の１つの実施形態に係る冷蔵庫１の概略断面側面図である。図２を参照しながら、冷蔵庫１を構成する部品を説明する。
【００２１】
図２（ａ）に示されるように、冷蔵庫本体３は、回転式の断熱扉５ａに対応する貯蔵室７ａと、引き出し式の断熱扉５ｂ、５ｃに対応する貯蔵室７ｂ、７ｃを備える。貯蔵室７ａは、上面部８ａ、下面部８ｂ、背面部８ｅ、両方の側面部に囲まれた内壁を備え、貯蔵室７ｂは、上面部８ｂ、下面部８ｃ、背面部８ｆ、両方の側面部に囲まれた内壁を備え、貯蔵室７ｃは、上面部８ｃ、下面部８ｄ、背面部８ｇ、両方の側面部に囲まれた内壁を備えている。
【００２２】
それぞれの貯蔵室７ａ〜７ｃは、断熱材を有する断熱壁によって仕切られている。断熱壁は、断熱効果を奏するため、一定の厚さを備える。そのため、貯蔵室７ａ〜７ｃの開口部は、上下の辺で一定の厚さの面６ａ〜６ｄを有する。図示しないが、貯蔵室７ａ〜７ｃは、側面においても同様に開口の面を備える。断熱扉５ａ〜５ｃが閉じられた時に、貯蔵室７ａ〜７ｃは、これら上面部、下面部及び両側面部の開口側の面において、断熱扉５ａ〜５ｃに取り付けられた扉パッキング１５と密着する。密着する部分については、図５を参照しながら後に説明する。
【００２３】
図２（ｂ）に示されるように、貯蔵室７ａ〜７ｃは、１または複数の棚を備え、多数の食品を貯蔵できる。例えば、貯蔵室７ａは、棚９ａ〜９ｄを備えている。断熱扉５ａにも複数の棚１０ａ〜１０ｄを配置することができる。１つの貯蔵室の温度は、複数の棚で一定である。
【００２４】
（扉パッキングとシール部材の断熱扉への取り付けの説明）
図３は、本発明の１つの実施形態に係る断熱扉の扉パッキング１５とシール部材１３を分離した、（ａ）裏面の概略斜視図と、（ｂ）正面図と、（ｃ）側面図である。図４は、本発明の１つの実施形態に係る断熱扉の扉パッキング１５とシール部材１３を接合した、（ａ）裏面の概略斜視図と、（ｂ）正面図と、（ｃ）側面図と（ｄ）図４（ａ）のＡ−Ａ断面図である。
【００２５】
図３及び４は、本実施形態における断熱扉５ｃを示す図である。冷蔵庫１に取り付けられる一番下の引き出し式の断熱扉５ｃへの扉パッキング１５とシール部材１３の取り付けについて説明する。しかしながら、本発明は、貯蔵室７ａ〜７ｃを開閉する扉パッキング１５とシール部材１３が取り付けられた回転式の断熱扉５ａ、引き出し式の断熱扉５ｂ等、その他いずれの断熱扉にも適用できる。
【００２６】
図３（ａ）に示されるように、断熱扉５ｃの裏面は、上辺、下辺、左右両辺の４辺を含む外周が凹設された溝を備えた平面形状をなしている。また、断熱扉５ｃの裏面は、その外周の平面１９の内側に、やはり上辺、下辺、左右両辺の４辺で囲われた凸内壁１７を備える。この凸内壁１７は、貯蔵室７ｃの内壁と対向して収納される。４辺すべての凸内壁が、貯蔵室７ｃの内壁と対向することに限られず、少なくとも１辺または一部でも対向すればよい。図示しないが、この裏面の左右側面にレールが取り付けられ、断熱扉５ｃは、冷蔵庫本体３と組み立てられる。
【００２７】
図３（ａ）、図３（ｃ）に示されるように、本実施の形態においても、断熱扉５ｃは、扉パッキング１５と、シール部材１３がそれぞれ分離して取り付けられる。断熱扉５ｃは、シール部材１３が取り付けられた後、扉パッキング１５が取り付けられている。断熱扉５ｃは、一定の厚さを有し、中に断熱材が封入されている。
【００２８】
扉パッキング１５は、断熱扉５ｃの裏面の外周に、上下左右の４辺を含む全周囲にわたって取り付けられる。図４（ａ）、図４（ｃ）に示されるように、断熱扉５ｃの裏面において扉パッキング１５は、外周の平面１９に沿った、平面形状で取り付けられる。このため、断熱扉５ｃが閉じられた状態では、断熱扉５ｃは、冷蔵庫本体３の開口にある面の全周囲を平面で密閉する。これにより、冷蔵庫１は、断熱性を備える。
【００２９】
シール部材１３は、断熱扉５ｃの下辺に取り付けられる。また、シール部材１３は凸内壁１７の下部にひげ構造を具備している。図４（ａ）、図４（ｄ）に示されるように、シール部材１３のひげ構造は、断熱扉５ｃの凸内壁１７に平行して連続して設けられていることがわかる。これにより、シール部材１３は、外気と庫内の空気を遮断する空気層を作ることができる。
【００３０】
図３（ｂ）に示されるように、断熱扉５ｃの正面は、把手以外、凹凸のない平面である。断熱扉５ｃは、平面だけでなく、弧状の曲面で形成されていてもよく、別に表示装置等機能を備えた構造物を備えていてもよい。また、図４（ｂ）に示されるように、断熱扉５ｃに扉パッキング１５とシール部材１３が取り付けられた状態では、どちらも断熱扉５ｃの正面から出ず、収まっている。
【００３１】
（扉パッキング１５とシール部材１３及びその接合部の説明）
図５は、本発明の１つの実施形態に係る断熱扉５ｃの扉パッキング１５とシール部材１３を接合した、（ａ）正面図と、（ｂ）図５（ａ）のＢ−Ｂ断面図と、（ｃ）図５（ｂ）のＣ部拡大図と、（ｄ）断熱扉５ｃを閉じた状態の図５（ｂ）のＣ部拡大図である。図５を参照して、本発明の１つの実施形態に係る断熱扉５ｃの扉パッキング１５とシール部材１３の接合を説明する。
【００３２】
図５（ａ）と図５（ｂ）については、図３、図４と繰り返しになるため、説明を省略する。図５（ｃ）に示されるように、断熱扉５ｃは、凸内壁１７、凹設された溝２３、外周の平面１９を備える。
【００３３】
扉パッキング１５は、外周の平面１９に重ねて設けられている。また、扉パッキング１５は、弾性変形する材質で構成される。図５（ｄ）に示されるように、扉パッキング１５は、貯蔵室７ｃの面６ｄと接して変形することにより、断熱扉５ｃと冷蔵庫本体３を密閉する。
【００３４】
図５（ｃ）の拡大図Ｃに示されるように、扉パッキング１５は、溝に取り付ける部分２５と磁石２７を備える。扉パッキング１５の磁石２７の磁力は、冷蔵庫本体３と密着するための力となり、扉パッキング１５と一体であるため断熱扉５ｃと冷蔵庫本体３を引きつけることができる。扉パッキング１５は、断熱扉５ｃが閉状態において、この磁石２７によって、冷蔵庫本体３の吸着部と密着する。
【００３５】
扉パッキング１５は、溝に取り付ける部分２５を断熱扉５ｃに凹設された溝２３に嵌合して、扉パッキング１５を断熱扉５ｃに接合する。溝に取り付ける部分２５は、凹設された溝２３に密接して嵌まる胴部の先に、矢印の断面を有するストッパを有する。
【００３６】
溝に取り付ける部分２５は、凹設された溝２３に密接して嵌まる胴部により、断熱扉５ｃと扉パッキング１５の間から空気が連通することを防ぐことができる。また、上述の矢印の断面を有するストッパにより、断熱扉５ｃを開放する際に、冷蔵庫本体３と扉パッキング１５の密着力が扉パッキング１５と断熱扉５ｃの接続力に打ち勝って扉パッキング１５が外れてしまうことがない。
【００３７】
図５（ｃ）拡大図Ｃに示されるように、シール部材１３は、凸内壁１７の断熱扉５ｃの外側から断熱扉５ｃに凹設された溝２３の中まで縁取りをするように接して設けられている。凹設された溝２３では、扉パッキング１５の溝に取り付ける部分２５がシール部材１３の上から嵌合される。また、このシール部材１３は、断熱扉５ｃと接着剤で接着される。この嵌合と接着剤により、シール部材１３が、断熱扉５ｃに、扉パッキング１５とともに保持される。
【００３８】
このような扉パッキング１５とシール部材１３が、ともに断熱扉５ｃに凹設された溝２３に保持された構造にすることで、強固にシール部材１３が固着されることができ、シール部材１３が掃除の時や引き出しの動作時に外れなくなる。
【００３９】
また、扉パッキング１５とシール部材１３が、ともに断熱扉５ｃに凹設された溝２３に保持されるため、気密性に優れ、断熱効果を備える。
【００４０】
さらに、本発明は、扉パッキング１５とシール部材１３を別部材とすることで、いずれかが破損したときに、交換する部品の構造を複雑にしないため、部品のコストを低くすることができる。
【００４１】
シール部材１３及び扉パッキング１５は、ゴムなど弾性変形する材質で形成される。これらの材質は、ウレタンゴム、シリコーンゴム、エチレンプロピレンゴム、クロロプレンゴム、などのゴム、ポリエチレン樹脂、ポリ塩化ビニルなどを用いることができる。これらの材質は、耐候性、耐薬品性などを考えて選択すればよい。
【００４２】
図５（ｄ）に示されるように、シール部材１３は、先端にひげ構造２１を有する。このひげ構造２１は、貯蔵室の内壁８ｄに接すると軟らかく合わせて変形する。このひげ構造２１は、断熱扉５ｃの辺方向に平行に伸びることにより空気の層を作り出す。そして、シール部材１３は、断熱扉７ｃの凸内壁１７と貯蔵室７ｃの内壁８ｄの間のすき間を埋め、空気を遮断することができる。
【００４３】
このひげ構造２１は、数が多いほど、断熱効果がある。しかしながら、構造が複雑にならないようこのひげ構造２１は、２本程度が好ましい。
【００４４】
図示しないが、シール部材１３の先端は、ひげ構造２１の代わりに袋構造を備えることもでき、袋構造の中に空気の層を作り出し、また、貯蔵室７ｃの内壁８ｄとの密着性を上げることができる。
【００４５】
本実施形態は、断熱扉及び貯蔵室が３つの冷蔵庫１を示したが、断熱扉及び貯蔵室の数は１つでも複数でもよい。また、棚を備える断熱扉及び貯蔵室は、分かれた貯蔵室を備える冷蔵庫本体３の上部であっても下部であってもよい。
【００４６】
本実施形態は、断熱扉５ｃの下辺にシール部材１３を取り付ける例を示したが、これに限られない。シール部材１３が、断熱扉５ｃの下辺と両側面、あるいは両側面のみ取り付けられていてもよい。そのような場合でも、扉パッキング１５とシール部材１３が、ともに断熱扉５ｃの凹設された溝に取り付けられる。
【００４７】
このように本発明は、シール部材の接着性を強化し、気密性に優れつつ、複雑でない部品から構成された冷蔵庫、すなわち、シール部材が掃除や引き出し動作で外れることがなく、断熱性にすぐれ、交換部品のコストの上昇を抑えた冷蔵庫が提供できる。
【符号の説明】
【００４８】
１  冷蔵庫
３  冷蔵庫本体
５ａ〜５ｃ  断熱扉
６ａ〜６ｄ  面
７ａ〜７ｃ  貯蔵室
８ａ〜８ｇ  面部
９ａ〜９ｄ  棚
１０ａ〜１０ｄ  棚
１３  シール部材
１５  扉パッキング
１７  凸内壁
１９  外周の平面
２１  ひげ構造
２３  凹設された溝
２５  溝に取り付ける部分
２７  磁石
３１  断熱扉
３３  シール部材
３５  扉パッキング
３７  凸内壁
３９  外周の平面
【図１】
2019120438.tif 000003
【図２】
2019120438.tif 000004
【図３】
2019120438.tif 000005
【図４】
2019120438.tif 000006
【図５】
2019120438.tif 000007